(57)【特許請求の範囲】
【請求項１】
容器の胴部に設けた減圧吸収面を、傾斜壁に接続され胴壁面より内側に位置する平坦な可変面と、該可変面と交互に配設された複数の横凹リブとによって構成し、
該横凹リブは、可変面よりも内側に凹んで形成され、前記傾斜壁に続く両側縁部と、中央部を隆起部として湾曲する谷面と、側縁部とを具えていることを特徴とする減圧吸収パネルを備えた加熱充填用ボトル。
【請求項２】
ボトルの肩部から胴部下端まで、フルシュリンクラベルが装着されていることを特徴とする請求項１記載の加熱充填用ボトル。
【請求項３】
フルシュリンクラベルが、紫外線カット効果を有することを特徴とする請求項２記載の加熱充填用ボトル。
【発明の詳細な説明】
【０００１】
【発明の属する技術分野】
本発明は、ボトルの減圧吸収パネル、とくにフルシュリンクラベルで被覆したボトル胴部の減圧吸収パネルに関する。
【０００２】
【発明が解決しようとする課題】
ＰＥＴボトルの内容液を紫外線から保護するため、ボトルをグリーンなどに着色することが実施されているが、ＰＥＴの再生利用にあたって、着色剤が混入するので、ＰＥＴボトルを無色にすることが求められている。
そのために、紫外線カット効果のあるシュリンクラベルを使用することが提案されているが、一般にフルシュリンクラベルを巻き付けた場合、従来のボトルでは、ラベルの巻き付け力が減圧吸収パネルの復元作用を抑制し、ボトル開栓時に入味線が下らないという問題が生じた。
【０００３】
その例として、図６に示すような従来ボトルについて説明すると、図においてＢはＰＥＴ樹脂を用いて二軸延伸成形された無色透明のボトルで、口部と、断面角形の肩部と胴部、底部とからなり、上下の胴部側壁ａには減圧吸収パネルｂが形成されている。
減圧吸収パネルｂは、図６，７に示すように、胴部側壁ａに接続する凹面ｃと該凹面ｃに続く上下左右に形成された４つの傾斜面ｄとから形成されている。
減圧にあたって、減圧吸収パネルｂと胴部側壁ａとの接続線を支軸として、凹面ｃと４つの傾斜面ｄが変形し、減圧吸収作用がもたらされる。
【０００４】
内容液の冷却後に、ボトル首部まで覆うシュリンクラベルを巻くようにすると、ラベルの締め付けにより、胴部側壁ａが左右より圧縮され、減圧により変形していた減圧吸収パネルｂがさらに変形する。
そのため常温でのキャップ開栓時に入味線が下がらず、逆に液はねを起こす可能性もあるという問題点があった。
【０００５】
したがって、紫外線カット効果を有するフルシュリンクラベルも同様に、従来のボトルには利用できないという問題があった。
【０００６】
本発明は、上記の問題を解決することを課題とし、ボトル胴部の減圧吸収パネルの構造を改良し、シュリンクラベルの締め付け力に対するパネルの抗力を増大させるとともにパネルの復元力を確保し、キャップ開栓時に入味線が下がるようにしたＰＥＴボトルを提供することを目的とする。
【０００７】
【課題を解決するための手段】
本発明は、上記の課題を解決するため、加熱充填用ボトルの減圧吸収パネルとして、容器の胴部に設けた減圧吸収面を、傾斜壁に接続され胴壁面より内側に位置する平坦な可変面と、該可変面と交互に配設された複数の横凹リブとによって構成し、該横凹リブは、可変面よりも内側に凹んで形成され、前記傾斜壁に続く両側縁部と、中央部を隆起部として湾曲する谷面と、側縁部とを具えていることを特徴とする構成を採用する。
【０００８】
ボトルとして、ボトルの肩部から胴部下端まで、フルシュリンクラベルが装着されていることを特徴とする構成を採用し、また内容物を紫外線から保護するために、フルシュリンクラベルが、紫外線カット効果を有することを特徴とする構成を採用する。
【０００９】
【発明の実施の形態】
次に、本発明の実施形態について、図面を参照して説明する。
図１に示すように、ボトルＡは、口部１、肩部２、胴部３、底部４とからなっており、ＰＥＴを素材樹脂として二軸延伸ブロー成形されている。
【００１０】
口部１外周には、ねじ５が螺設され、その下方にネックリング６が突設されている。
肩部２と胴部３の断面形状は角部を面取りした四角形状に成形され、肩部２の上端は円筒形の口部１に続いている。
胴部３は、上部胴部７と下部胴部８とからなり、上下胴部の境目には、横凹溝９が凹設されている。
【００１１】
上下胴部７，８は、図２，３に示すように、それぞれ４つの側壁７ａ，ｂ，ｃ，ｄ、側壁８ａ，ｂ，ｃ，ｄと角部をやや傾斜するテーパ面をもって切截した上下のストレート面１０ａ，ｂ，ｃ，ｄ、１１とを具えており、各側壁７ａ，ｂ，ｃ，ｄ、８ａ，ｂ，ｃ，ｄには、減圧吸収パネル１２，１３が形成されている。
【００１２】
上部の減圧吸収パネル１２は、図３，４に示すように、側壁７（ａ，ｂ，ｃ，ｄ）周縁より一定の距離をおいた内側に配設されており、減圧吸収パネル周縁は、細巾の傾斜面１４となっており、その内側には、側壁７（ａ，ｂ，ｃ，ｄ）表面より内側に位置する可変面１５と、上下に一定間隔をおいて配設された横リブ１６とを具えている。
可変面１５は、側壁７（ａ，ｂ，ｃ，ｄ）とほぼ平行な平坦面となっており、横凹リブ１６は、可変面１５よりさらに凹んで形成され、傾斜面１４に続く両側端部１７と中央部をやや隆起するよう湾曲した谷面１８と側縁部１９とからなっている。
【００１３】
下部減圧吸収パネル１３は、図１に示すように、上部減圧吸収パネル１２と同様の可変面２０と横凹リブ２１とからなっており、パネル周縁の形状は、減圧吸収パネル１２の形状と対称的となっており、相似的に拡大された形状となっている。
【００１４】
底部４は、底端壁２５と上方に凹んだ底壁２６とからなっており、底壁２６には、周知のように複数の縦リブが放射状に形成されている。
【００１５】
ブロー成形されたボトルには、まず加熱殺菌した内容液が充填され、次いでキャップを締めて冷却される。
その後に、ボトル肩部上端まで覆うフルシュリンクラベルの巻き付けが行われ、紫外線カットのためには、紫外線吸収剤を配合したフルシュリンクラベルが用いられる。
【００１６】
次に、冷却による減圧時、シュリンクラベル巻き付け時の減圧吸収パネル１２，１３の作用効果について説明する。
内容物の加熱充填後の冷却にあたっては、図５に示すように、内圧の低下に応じて減圧吸収パネル１２，１３の可変面１５，２０は、周縁の傾斜面１４を支軸として内方に湾曲変形し、それにつれて横凹リブ１６，２１もほぼ直線状となるように湾曲され、減圧吸収パネル１２，１３によって減圧を吸収することができる。
【００１７】
フルシュリンクラベルの装着に際しては、胴部角部のストレート面１０、１１にシュリンクラベルの収縮による締め付け力Ｆが働き、側壁７ａ，ｂ，ｃ，ｄ、側壁８ａ，ｂ，ｃ，ｄを左右から圧縮するように作用する。
これに対して、減圧吸収パネル１２，１３に設けた横凹リブ１６，２１の谷面１８がほぼ直線状となっていることと側縁部１９の剛性によって、シュリンクラベルの締め付け力Ｆに対する反力ｆが付与される。
それにより可変面１５，２０の湾曲変形を阻止するとともに、減圧吸収パネル１２，２０の形状が維持される。
【００１８】
キャップ開栓時には、可変面１５，２０と横凹リブ１６，２１の復元力が働き、内方に湾曲していた可変面１５，２０が平坦面となり、それとともに横凹リブ１６，２１も減圧前の状態に戻り、入味線が低下する。
【００１９】
その作用効果を実験例に基づいて説明する。
実験は、容量５００ｍｌの本発明ボトルＡと、図６に示す従来ボトルＢに、８９゜Ｃに加熱した内容液をボトルに充填し、キャップを締め冷却した後に、フルシュリンクラベルを巻き付け、温度が２２゜Ｃに低下した時の口部上端から液面までの位置（入味線位置）とヘッドスペース容量を比較した。
【００２０】
それぞれにフルシュリンクラベルを装着した状態の時と、引き続いてフルシュリンクラベルを取り外した時の変化について比較測定した。
その結果は表１に示すとおりであった。
【００２１】
【表１】
0003942803.tif 000002
【００２２】
結果から判るように、ボトルＢの場合は、ラベルの装着時と取り外し時を比較すると、ラベル装着時には、入味線、ヘッドスペースともにラベル取り外し時に比較するとそれぞれ２８．３％、４９．８％減少している。
このことは、ラベル装着により減圧吸収パネルが締め付けられ、復元作用が小さくなっていることを示している。
これに対して、本発明のボトルＡの場合は、ラベル装着時もラベル取り外し時に比較して、入味線は１３．０％、ヘッドスペースは３０．２％小さくなっただけであり、減圧吸収後の減圧吸収パネルの復元作用の減少割合は少なくなっている。
【００２３】
このことは、減圧吸収パネルに横凹リブを設けたことによって、フルシュリンクラベルの収縮に対して減圧吸収パネルの変形を阻止し、減圧吸収後の復元作用を確保していることを示すものである。
【００２４】
上記実施形態では、ＰＥＴボトルについて説明したが、採用できる樹脂としてＰＥＴの他にＰＥＮ（ポリエチレンナフタレート）を用いることができる。
ＰＥＮを用いた場合、紫外線は樹脂自体によってカットされるからシュリンクラベルの紫外線カット効果の有無については考慮する必要はなくなる。
フルシュリンクラベルは、主としてボトルの加飾のために巻き付けるられるが、実施形態のＰＥＴボトルと同等の作用効果を得ることができる。
【００２５】
また、上記実施形態では、ボトル胴部の形状を角部を面取りした四角形状としたが、胴部の形状は、角部を面取りした三角形、または五角形であってもよい。
【００２６】
上記実施形態では、加熱殺菌した内容液が充填され冷却された後に、ボトルにフルシュリンクラベルの巻き付けを行なったが、先にフルシュリンクラベルの巻き付けを行ない、その後に加熱殺菌した内容液を充填するようにしてもよく、同等の作用効果を得ることができる。
【００２７】
【発明の効果】
本発明は、上記のように構成されているから、次の効果を奏する。
減圧吸収パネルに複数個の横凹リブを配設したことによって、シュリンクラベルの締め付け力に対する反力を付与し、減圧吸収パネルの減圧吸収時の変形状態を維持することができた。
そのことによって、開栓時に減圧吸収パネルが復元し、入味線を低下させることができた。
【００２８】
したがって、減圧吸収パネルの作用効果を抑制することなく、ボトル胴部にフルシュリンクラベルを巻き付けることができ、紫外線カット効果を有するフルシュリンクラベルを用いることにより紫外線カットができるようになった。
【図面の簡単な説明】
【図１】ボトルの正面図である。
【図２】ボトルの上面図である。
【図３】図１のＡ−Ａ線における断面図である。
【図４】減圧吸収パネルの説明図で、（ａ）は正面図、（ｂ）は図（ａ）のＡ−Ａ線における断面図である。
【図５】  シュリンクラベルの巻き付け時の説明図である。
【図６】  従来ボトルの正面図である。
【図７】図６のＡ−Ａ線における断面図である。
【符号の説明】
Ａ、Ｂ          ボトル
１              口部
２              肩部
３              胴部
４              底部
７              上部胴部
７ａ，ｂ，ｃ，ｄ、８ａ，ｂ，ｃ，ｄ、ａ  側壁
８              下部胴部
９              横凹溝
１０ａ，ｂ，ｃ，ｄ、１１ａ，ｂ，ｃ，ｄ  ストレート面
１２、１３、ｂ  減圧吸収パネル
１４、ｄ        傾斜面
１５、２０      可変面
１６、２１      横凹リブ
１７            側端部
１８            谷面
【図１】
0003942803.tif 000003
【図２】
0003942803.tif 000004
【図３】
0003942803.tif 000005
【図４】
0003942803.tif 000006
【図５】
0003942803.tif 000007
【図６】
0003942803.tif 000008
【図７】
0003942803.tif 000009